(57)【要約】【課題】無線基地局ｅＮＢにおいて、受信したＰｏｗｅｒ  ｈｅａｄｒｏｏｍが、どのＤＬ  ＣＣにおけるパスロスに基づいて算出されたものであるかについて判断する。【解決手段】本発明に係る移動通信システムは、無線基地局ｅＮＢが、移動局ＵＥに対して、ＤＬ  ＣＣの各々を特定するＤＬ  ＣＣ  ＩＤを通知する工程Ａと、移動局ＵＥが、複数のＤＬ  ＣＣに含まれる所定ＤＬ  ＣＣから推定されるパスロスに基づいて、Ｐｏｗｅｒ  ｈｅａｄｒｏｏｍを算出する工程と、移動局ＵＥが、無線基地局ｅＮＢに対して、所定ＤＬ  ＣＣを特定するＤＬ  ＣＣ  ＩＤとＰｏｗｅｒ  ｈｅａｄｒｏｏｍとからなる「ＭＡＣ  Ｃｏｎｔｒｏｌ  Ｅｌｅｍｅｎｔ」を送信する工程とを有し、ＤＬ  ＣＣの周波数を特定するＥＡＲＦＣＮのビット長は、ＤＬ  ＣＣ  ＩＤのビット長よりも長い。【選択図】図４
2011239000.tif 000002
【特許請求の範囲】
【請求項１】
移動局が、無線基地局との間で、搬送波周波数が異なる複数の下りリンクキャリア及び複数の上りリンクキャリアを用いた通信を行う移動通信方法であって、
前記無線基地局が、前記移動局に対して、前記下りリンクキャリアの各々を特定する下りリンクキャリアＩＤを通知する工程Ａと、
前記移動局が、前記複数の下りリンクキャリアに含まれる所定下りリンクキャリアから推定されるパスロスに基づいて、上りリンク共有チャネルにおける所要の送信電力の推定値と該移動局の最大送信電力との差分情報を算出する工程と、
前記移動局が、前記無線基地局に対して、前記所定下りリンクキャリアを特定する下りリンクキャリアＩＤと前記差分情報とからなる制御情報を送信する工程とを有し、
前記下りリンクキャリアの周波数を特定する下りリンクキャリア周波数ＩＤのビット長は、前記下りリンクキャリアＩＤのビット長よりも長いことを特徴とする移動通信方法。
【請求項２】
無線基地局との間で、搬送波周波数が異なる複数の下りリンクキャリア及び複数の上りリンクキャリアを用いた通信を行うことができるように構成されている移動局であって、
前記無線基地局から、前記下りリンクキャリアの各々を特定する下りリンクキャリアＩＤを受信するように構成されている受信部と、
前記複数の下りリンクキャリアに含まれる所定下りリンクキャリアから推定されるパスロスに基づいて、上りリンク共有チャネルにおける所要の送信電力の推定値と該移動局の最大送信電力との差分情報を算出するように構成されている算出部と、
前記無線基地局に対して、前記所定下りリンクキャリアを特定する下りリンクキャリアＩＤと前記差分情報とからなる制御情報を送信するように構成されている送信部とを具備し、
前記下りリンクキャリアの周波数を特定する下りリンクキャリア周波数ＩＤのビット長は、前記下りリンクキャリアＩＤのビット長よりも長いことを特徴とする移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）方式では、移動局ＵＥは、無線基地局ｅＮＢに対して、所定の送信トリガに従って、ＰＵＳＣＨ（Ｐｈｙｓｉｃａｌ  Ｕｐｌｉｎｋ  Ｓｈａｒｅｄ  Ｃｈａｎｎｅｌ、上りリンク共有チャネル）を介して、Ｐｏｗｅｒ  ｈｅａｄｒｏｏｍを含むＰＨＲ（Ｐｏｗｅｒ  ｈｅａｄｒｏｏｍ  ｒｅｐｏｒｔ）を送信するように構成されている。
【０００３】
ここで、Ｐｏｗｅｒ  ｈｅａｄｒｏｏｍは、移動局ＵＥについてのＰＵＳＣＨにおける所要の送信電力の推定値と最大送信電力との差分情報である。なお、かかるＰＵＳＣＨにおける所要の送信電力は、下りリンクから推定されるパスロス（Ｐａｔｈｌｏｓｓ）に基づいて算出されるように構成されている。
【０００４】
移動局ＵＥは、下りリンクから実際にパスロスを推定するにあたって、無線基地局ｅＮＢにおける下りリンク共通パイロット信号（ｃｅｌｌ-ｓｐｅｃｉｆｉｃ  ｒｅｆｅｒｅｎｃｅ  ｓｉｇｎａｌ）の送信電力（Ｒｅｓｏｕｒｃｅ  Ｅｌｅｍｅｎｔ単位）と、移動局ＵＥにおける下りリンク共通パイロット信号の受信電力（Ｒｅｓｏｕｒｃｅ  Ｅｌｅｍｅｎｔ単位）との差によって、パスロスを算出するように構成されている。
【０００５】
無線基地局ｅＮＢは、ＰＨＲに基づいて、移動局ＵＥにおいて使用可能な送信電力がどれだけ余っているかについて把握し、移動局ＵＥに対する上りリンクリソースの割当を行うように構成されている。
【先行技術文献】
【非特許文献】
【０００６】
【非特許文献１】３ＧＰＰ  ＴＳ３６.１３３
【非特許文献２】３ＧＰＰ  ＴＳ３６.２１３
【非特許文献２】３ＧＰＰ  ＴＳ３６.３２１
【発明の概要】
【発明が解決しようとする課題】
【０００７】
ＬＴＥ方式の後継方式であるＬＴＥ-Ａｄｖａｎｃｅｄ方式では、移動局ＵＥは、無線基地局ｅＮＢとの間で、搬送波周波数が異なる複数のＤＬ  ＣＣ（Ｄｏｗｎｌｉｎｋ  Ｃｏｍｐｏｎｅｎｔ  Ｃａｒｒｉｅｒ、下りリンクキャリア）及び複数のＵＬ  ＣＣ（Ｕｐｌｉｎｋ  Ｃｏｍｐｏｎｅｎｔ  Ｃａｒｒｉｅｒ、上りリンクキャリア）を用いたＣＡ（Ｃａｒｒｉｅｒ  Ａｇｇｒｉｇａｔｉｏｎ）通信を行うことができるように構成されている。
【０００８】
しかしながら、ＣＡ通信が行われている場合には、複数のＤＬ  ＣＣ及び複数のＵＬ  ＣＣが用いられているため、無線基地局ｅＮＢは、受信したＰｏｗｅｒ  ｈｅａｄｒｏｏｍが、どのＤＬ  ＣＣにおけるパスロスに基づいて算出されたものであるのか判断することができないという問題点があった。
【０００９】
具体的には、各ＣＣにおけるパスロスは、異なり得るため、移動局ＵＥとの間でのＣＡ通信に用いる各ＵＬ  ＣＣについて、移動局ＵＥがそれぞれのＵＬ  ＣＣでの送信電力を制御するために用いるパスロスを、どのＤＬ  ＣＣから推定すべきかについて、無線基地局ｅＮＢから移動局ＵＥに対して通知することが検討されている。
【００１０】
例えば、無線基地局ｅＮＢが、図２におけるＣＣの構成により、移動局ＵＥとＣＡ通信を行う場合であって、ＵＬ  ＰＣＣとＤＬ  ＰＣＣと同じパスロス環境にあって、ＵＬ  ＳＣＣ＃１とＵＬ  ＳＣＣ＃２とＤＬ  ＳＣＣ＃１とＤＬ  ＳＣＣ＃２とが（ＵＬ  ＰＣＣとＤＬ  ＰＣＣとは異なる）同じパスロス環境にある場合、無線基地局ｅＮＢは移動局ＵＥに対して、ＵＬ  ＰＣＣにおける送信電力を制御するために用いるパスロスをＤＬ  ＰＣＣから推定すべきであり、ＵＬ  ＳＣＣ＃１及びＵＬ  ＳＣＣ＃２における送信電力を制御するために用いるパスロスをＤＬ  ＳＣＣ＃１若しくはＤＬ  ＳＣＣ＃２から推定すべきであることを通知する。
【００１１】
各ＣＣでのパスロスが異なる場合、各ＵＬ  ＣＣでの上りリンクのリソース割当てを無線基地局ｅＮＢが適切に行えるように、移動局ＵＥは、無線基地局ｅＮＢからパスロスの推定に用いるべきであると通知されたＤＬ  ＣＣの数の分だけの独立なＰｏｗｅｒ  Ｈｅａｄｒｏｏｍを無線基地局ｅＮＢに送信する必要がある。
【００１２】
上述の例では、移動局ＵＥは、ＤＬ  ＰＣＣから推定されたパスロスに基づいて算出されるＵＬ  ＰＣＣでのＰＵＳＣＨにおける所要の送信電力から求められるＰｏｗｅｒ  Ｈｅａｄｒｏｏｍと、ＤＬ  ＳＣＣ＃１若しくはＤＬ  ＳＣＣ＃２から推定されるパスロスに基づいて算出されるＵＬ  ＳＣＣ＃１及びＵＬ  ＳＣＣ＃２でのＰＵＳＣＨにおける所要の送信電力から求められるＰｏｗｅｒ  Ｈｅａｄｒｏｏｍとを、無線基地局ｅＮＢに送信する必要がある。
【００１３】
すると、無線基地局ｅＮＢは、移動局ＵＥがＤＬ  ＰＣＣから推定したパスロスに基づいて算出されるＵＬ  ＰＣＣでのＰＵＳＣＨにおける所要の送信電力から求めたＰｏｗｅｒ  Ｈｅａｄｒｏｏｍに基づいて、ＵＬ  ＰＣＣでの上りリンクのリソース割当てを行い、移動局がＤＬ  ＳＣＣ＃１若しくはＤＬ  ＳＣＣ＃２から推定したパスロスに基づいて算出したＵＬ  ＳＣＣ＃１及びＵＬ  ＳＣＣ＃２でのＰＵＳＣＨにおける所要の送信電力から求めたＰｏｗｅｒ  Ｈｅａｄｒｏｏｍに基づいて、ＵＬ  ＳＣＣ＃１及びＵＬ  ＳＣＣ＃２での上りリンクのリソース割当てを行う。
【００１４】
ただし、ここで、無線基地局ｅＮＢにて、移動局ＵＥから受信するＰｏｗｅｒ  Ｈｅａｄｒｏｏｍが、どのＤＬ  ＣＣから推定されたパスロスに基づいて求められたＰｏｗｅｒ  Ｈｅａｄｒｏｏｍであるのかについて判断することができないという問題点があった。
【００１５】
そこで、本発明は、上述の課題に鑑みてなされたものであり、無線基地局ｅＮＢにおいて、受信したＰｏｗｅｒ  ｈｅａｄｒｏｏｍが、どのＤＬ  ＣＣにおけるパスロスに基づいて算出されたものであるかについて判断することができる移動通信方法及び移動局を提供することを目的とする。
【課題を解決するための手段】
【００１６】
本発明の第１の特徴は、移動局が、無線基地局との間で、搬送波周波数が異なる複数の下りリンクキャリア及び複数の上りリンクキャリアを用いた通信を行う移動通信方法であって、前記無線基地局が、前記移動局に対して、前記下りリンクキャリアの各々を特定する下りリンクキャリアＩＤを通知する工程Ａと、前記移動局が、前記複数の下りリンクキャリアに含まれる所定下りリンクキャリアから推定されるパスロスに基づいて、上りリンク共有チャネルにおける所要の送信電力の推定値と該移動局の最大送信電力との差分情報を算出する工程と、前記移動局が、前記無線基地局に対して、前記所定下りリンクキャリアを特定する下りリンクキャリアＩＤと前記差分情報とからなる制御情報を送信する工程とを有し、前記下りリンクキャリアの周波数を特定する下りリンクキャリア周波数ＩＤのビット長は、前記下りリンクキャリアＩＤのビット長よりも長いことを要旨とする。
【００１７】
本発明の第２の特徴は、無線基地局との間で、搬送波周波数が異なる複数の下りリンクキャリア及び複数の上りリンクキャリアを用いた通信を行うことができるように構成されている移動局であって、前記無線基地局から、前記下りリンクキャリアの各々を特定する下りリンクキャリアＩＤを受信するように構成されている受信部と、前記複数の下りリンクキャリアに含まれる所定下りリンクキャリアから推定されるパスロスに基づいて、上りリンク共有チャネルにおける所要の送信電力の推定値と該移動局の最大送信電力との差分情報を算出するように構成されている算出部と、前記無線基地局に対して、前記所定下りリンクキャリアを特定する下りリンクキャリアＩＤと前記差分情報とからなる制御情報を送信するように構成されている送信部とを具備し、前記下りリンクキャリアの周波数を特定する下りリンクキャリア周波数ＩＤのビット長は、前記下りリンクキャリアＩＤのビット長よりも長いことを要旨とする。
【発明の効果】
【００１８】
以上説明したように、本発明によれば、無線基地局ｅＮＢにおいて、受信したＰｏｗｅｒ  ｈｅａｄｒｏｏｍが、どのＤＬ  ＣＣにおけるパスロスに基づいて算出されたものであるかについて判断することができる移動通信方法及び移動局を提供することができる。
【図面の簡単な説明】
【００１９】
【図１】本発明の第１の実施形態に係る移動通信システムの全体構成図である。
【図２】本発明の第１の実施形態に係る移動通信システムで行われているＣＡ通信について説明するための図である。
【図３】本発明の第１の実施形態に係る移動局の機能ブロック図である。
【図４】本発明の第１の実施形態に係る移動局によって送信されるＰｏｗｅｒ  ｈｅａｄｒｏｏｍフォーマットの一例を示す図である。
【図５】本発明の第１の実施形態に係る無線基地局の機能ブロック図である。
【図６】本発明の第１の実施形態に係る移動通信システムの動作を示すシーケンス図である。
【発明を実施するための形態】
【００２０】
（本発明の第１の実施形態に係る移動通信システム）
図１乃至図６を参照して、本発明の第１の実施形態に係る移動通信システムの構成について説明する。
【００２１】
本実施形態に係る移動通信システムは、ＬＴＥ-Ａｄｖａｎｃｅｄ方式の移動通信システムであって、本実施形態に係る移動通信システムにおいて、移動局ＵＥは、無線基地局ｅＮＢとの間で、搬送周波数の異なる複数のＣＣを用いてＣＡ通信を行うことができるように構成されている。
【００２２】
図１に示すように、本実施形態に係る移動通信システムでは、移動局ＵＥは、ＰＵＳＣＨを介して、上りリンクデータ信号を送信し、ＰＵＣＣＨ（Ｐｈｙｓｉｃａｌ  Ｕｐｌｉｎｋ  Ｃｏｎｔｒｏｌ  Ｃｈａｎｎｅｌ、上りリンク制御チャネル）を介して、上りリンク制御信号を送信するように構成されている。
【００２３】
また、本実施形態に係る移動通信システムでは、無線基地局ｅＮＢは、ＰＤＳＣＨ（Ｐｈｙｓｉｃａｌ  Ｄｏｗｎｌｉｎｋ  Ｓｈａｒｅｄ  Ｃｈａｎｎｅｌ、下りリンク共有チャネル）を介して、下りリンクデータ信号を送信し、ＰＤＣＣＨ（Ｐｈｙｓｉｃａｌ  Ｄｏｗｎｌｉｎｋ  Ｃｏｎｔｒｏｌ  Ｃｈａｎｎｅｌ、下りリンク制御チャネル）を介して、下りリンク制御信号を送信するように構成されている。
【００２４】
また、本実施形態に係る移動通信システムでは、図２に示すように、移動局ＵＥは、ＵＬ  ＰＣＣ（Ｕｐｌｉｎｋ  Ｐｒｉｍａｒｙ  Ｃｏｍｐｏｎｅｎｔ  Ｃａｒｒｉｅｒ）と、ＵＬ  ＳＣＣ（Ｕｐｌｉｎｋ  Ｓｅｃｏｎｄａｒｙ  Ｃｏｍｐｏｎｅｎｔ  Ｃａｒｒｉｅｒ）＃１と、ＵＬ  ＳＣＣ＃２と、ＤＬ  ＰＣＣ（Ｄｏｗｎｌｉｎｋ  Ｐｒｉｍａｒｙ  Ｃｏｍｐｏｎｅｎｔ  Ｃａｒｒｉｅｒ）と、ＤＬ  ＳＣＣ＃１と、ＤＬ  ＳＣＣ＃２とを用いて、ＣＡ通信を行っているものとする。
【００２５】
図３に示すように、移動局ＵＥは、受信部１１と、Ｐｏｗｅｒ  ｈｅａｄｒｏｏｍ算出部１２と、送信部１３とを具備している。
【００２６】
受信部１１は、ＰＤＳＣＨ及びＰＤＣＣＨを介して、無線基地局ｅＮＢによって送信された信号を受信するように構成されている。
【００２７】
例えば、受信部１１は、ＰＤＳＣＨを介して、ＤＬ  ＣＣの各々を特定するＤＬ  ＣＣ  ＩＤのリスト（例えば、図４に示す「Ａ」）を含むＲＲＣメッセージを受信するように構成されている。
【００２８】
Ｐｏｗｅｒ  ｈｅａｄｒｏｏｍ算出部１２は、複数のＤＬ  ＣＣに含まれる所定ＤＬ  ＣＣから推定されるパスロスに基づいて、ＰＵＳＣＨにおける所要の送信電力の推定値と移動局ＵＥの最大送信電力との差分情報であるＰｏｗｅｒ  ｈｅａｄｒｏｏｍを算出するように構成されている。
【００２９】
具体的には、Ｐｏｗｅｒ  ｈｅａｄｒｏｏｍ算出部１２は、所定ＤＬ  ＣＣから推定されるパスロスに基づいて、ＰＵＳＣＨにおける所要の送信電力の推定値を算出し、かかる推定値と移動局ＵＥの最大送信電力とに基づいて、Ｐｏｗｅｒ  ｈｅａｄｒｏｏｍを算出するように構成されている。
【００３０】
ここで、ＰＵＳＣＨにおける所要の送信電力を推定する際に用いるべきパスロスは、ＰＵＳＣＨを送信するＵＬ  ＣＣとパスロスが同等であるＤＬ  ＣＣから推定する必要がある。
【００３１】
具体的には、Ｐｏｗｅｒ  ｈｅａｄｒｏｏｍ算出部１２は、所定ＤＬ  ＣＣから推定されるパスロスに基づいて、ＰＵＳＣＨにおける所要の送信電力の推定値を算出し、かかる推定値と移動局ＵＥの最大送信電力とに基づいて、Ｐｏｗｅｒ  ｈｅａｄｒｏｏｍを算出するように構成されている。
【００３２】
送信部１３は、ＰＵＳＣＨ及びＰＵＣＣＨを介して、無線基地局ｅＮＢに対して、信号を送信するように構成されている。
【００３３】
例えば、送信部１３は、無線基地局ｅＮＢに対して、所定ＤＬ  ＣＣを特定するＤＬ  ＣＣ  ＩＤとＰｏｗｅｒ  ｈｅａｄｒｏｏｍとからなる「ＭＡＣ  Ｃｏｎｔｒｏｌ  Ｅｌｅｍｅｎｔ（ＰＨＲ）」を送信するように構成されている。
【００３４】
ここで、図４に示すように、ＤＬ  ＣＣ  ＩＤは、現在の「ＭＡＣ  Ｃｏｎｔｒｏｌ  Ｅｌｅｍｅｎｔ」内における２ビットの「Ｒｅｓｅｒｖｅｄ領域」に設定されてもよい。
【００３５】
なお、Ｐｏｗｅｒ  ｈｅａｄｒｏｏｍの算出に用いられたパスロスを推定したＤＬ  ＣＣを特定するために、ＰＨＲに、２ビットのＤＬ  ＣＣ  ＩＤよりもビット長が長い１６ビットのＤＬ  ＣＣの周波数ＩＤ（ＥＡＲＦＣＮ：Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）を含めることも想定できるが、３ＧＰＰにおけるＣＡ通信では、各移動局ＵＥに対して最大で５個のＤＬ  ＣＣしか設定することができないため、ＰＨＲに、ＥＡＲＦＣＮを含めることは、オーバヘッド的に無駄である。
【００３６】
したがって、送信部１３は、無線基地局ｅＮＢから事前にＲＲＣメッセージによって通知されたＤＬ  ＣＣ  ＩＤを、ＰＨＲに含めて送信するように構成されている。
【００３７】
また、送信部１３は、無線基地局ｅＮＢに対して、無線基地局ｅＮＢからパスロスの推定に用いるべきと通知されたＤＬ  ＣＣの数の分だけの独立なＰＨＲを送信するように構成されている。
【００３８】
図５に示すように、無線基地局ｅＮＢは、送信部２１と、受信部２２と、ＣＡ制御部２３と、スケジューリング２４とを具備している。
【００３９】
送信部２１は、ＰＤＳＣＨ及びＰＤＣＣＨを介して、移動局ＵＥに対して、信号を送信するように構成されている。
【００４０】
例えば、送信部２１は、ＰＤＳＣＨを介して、ＲＲＣ_Ｃｏｎｎｅｃｔｅｄ状態の移動局ＵＥに対して、当該移動局ＵＥとの間のＣＡ通信に用いているＤＬ  ＣＣの各々を特定するＤＬ  ＣＣ  ＩＤのリスト（例えば、図４に示す「Ａ」）を含むＲＲＣメッセージを送信するように構成されている。
【００４１】
例えば、本実施形態では、図２及び図４に示すように、ＤＬ  ＰＣＣを特定するＤＬ  ＣＣ  ＩＤは、「００」であり、ＤＬ  ＳＣＣ＃１を特定するＤＬ  ＣＣ  ＩＤは「０１」であり、ＤＬ  ＳＣＣ＃２を特定するＤＬ  ＣＣ  ＩＤは「１０」である。
【００４２】
受信部２２は、ＰＵＳＣＨ及びＰＵＣＣＨを介して、移動局ＵＥによって送信された信号を受信するように構成されている。
【００４３】
例えば、受信部２２は、移動局ＵＥから、所定ＤＬ  ＣＣを特定するＤＬ  ＣＣ  ＩＤとＰｏｗｅｒ  ｈｅａｄｒｏｏｍとからなる「ＭＡＣ  Ｃｏｎｔｒｏｌ  Ｅｌｅｍｅｎｔ（ＰＨＲ）」を受信するように構成されている。
【００４４】
ＣＡ制御部２３は、移動局ＵＥによるＣＡ通信に係る制御を行うように構成されている。
【００４５】
例えば、ＣＡ制御部２３は、ＲＲＣレイヤにおいて、ＲＲＣメッセージ（例えば、「ＲＲＣ  Ｒｅｃｏｎｆｉｇｕｒａｔｉｏｎ」メッセージ等）を用いて、ＣＡ通信を行っている移動局ＵＥに対して、新規のＣＣの追加や、既存のＣＣの削除や、ＰＣＣの変更を指示することができるように構成されている。
【００４６】
ここで、移動局ＵＥが、ＲＲＣ_Ｉｄｌｅ状態からＲＲＣ_Ｃｏｎｎｅｃｔｅｄ状態に遷移し、ＬＴＥ（Ｒｅｌｅａｓｅ８/９）方式の場合と同様に、１つのＤＬ  ＣＣ及び１つのＵＬ  ＣＣを用いて通信を開始した後に、ＣＡ制御部２３は、ＲＲＣレイヤにおいて、ＲＲＣメッセージを用いて、２つ目以降のＤＬ  ＣＣ及びＵＬ  ＣＣの追加を指示するように構成されている。
【００４７】
また、例えば、ＣＡ制御部２３は、ＭＡＣレイヤにおいて、「ＭＡＣ  Ｃｏｎｔｒｏｌ  Ｅｌｅｍｅｎｔ」を用いて、ＣＡ通信で用いられている各ＣＣの状態（アクティブ状態又は非アクティブ状態）の設定を指示するように構成されている。
【００４８】
スケジューリング部２４は、受信部２２によって受信されたＰＨＲに基づいて、移動局ＵＥに対するスケジューリング処理を行うように構成されている。
【００４９】
以下、図６を参照して、本実施形態に係る移動通信システムの動作について説明する。
【００５０】
図６に示すように、ステップＳ１００１において、無線基地局ｅＮＢは、ＲＲＣ_Ｃｏｎｎｅｃｔｅｄ状態の移動局ＵＥに対して、移動局ＵＥによるＣＡ通信で用いられている各ＤＬ  ＣＣを特定するＤＬ  ＣＣ  ＩＤのリストを含むＲＲＣメッセージを送信する。
【００５１】
ここで、無線基地局ｅＮＢは、移動局に対してパスロスの推定に用いるべきであると通知するＤＬ  ＣＣについてのみ、当該ＤＬ  ＣＣを特定するＤＬ  ＣＣ  ＩＤのリストを含むＲＲＣメッセージを送信してもよい。
【００５２】
その後、ステップＳ１００２において、移動局ＵＥは、無線基地局ｅＮＢからパスロスの推定に用いるべきであると通知された全てのＤＬ  ＣＣについて独立なＰｏｗｅｒ  ｈｅａｄｒｏｏｍを算出し、無線基地局ｅＮＢに対して、算出したＰｏｗｅｒ  ｈｅａｄｒｏｏｍ及び当該Ｐｏｗｅｒ  ｈｅａｄｒｏｏｍの算出に用いたパスロスを算出したＤＬ  ＣＣを特定するＤＬ  ＣＣ  ＩＤとからなる「ＭＡＣ  Ｃｏｎｔｒｏｌ  Ｅｌｅｍｅｎｔ（ＰＨＲ）」を送信する。
【００５３】
ここで、１つの「ＭＡＣ  Ｃｏｎｔｒｏｌ  Ｅｌｅｍｅｎｔ（ＰＨＲ）」には、独立なＰｏｗｅｒ  Ｈｅａｄｒｏｏｍ（及び、当該Ｐｏｗｅｒ  Ｈｅａｄｒｏｏｍの算出に用いたパスロスを算出したＤＬ  ＣＣを特定するＤＬ  ＣＣ  ＩＤ）が複数含まれていてもよく、１つのみ含まれていてもよい。
【００５４】
例えば、図２におけるＣＣの構成により移動局ＵＥとＣＡ通信を行う場合であって、ＵＬ  ＰＣＣとＤＬ  ＰＣＣと同じパスロス環境にあり、さらに、ＵＬ  ＳＣＣ＃１とＵＬ  ＳＣＣ＃２とＤＬ  ＳＣＣ＃１とＤＬ  ＳＣＣ＃２とが（ＵＬ  ＰＣＣとＤＬ  ＰＣＣとは異なる）同じパスロス環境にあり、無線基地局ｅＮＢが移動局ＵＥに対して、ＵＬ  ＰＣＣにおける送信電力を制御するために用いるパスロスをＤＬ  ＰＣＣから推定すべきであり、ＵＬ  ＳＣＣ＃１及びＵＬ  ＳＣＣ＃２における送信電力を制御するために用いるパスロスをＤＬ  ＳＣＣ＃１若しくはＤＬ  ＳＣＣ＃２から推定すべきであることを通知したとする。
【００５５】
この場合、「ＭＡＣ  Ｃｏｎｔｒｏｌ  Ｅｌｅｍｅｎｔ（ＰＨＲ）」には、『ＤＬ  ＰＣＣから推定されたパスロスに基づいて算出されたＰｏｗｅｒ  ｈｅａｄｒｏｏｍとＤＬ  ＰＣＣを特定するＤＬ  ＣＣ  ＩＤ』、若しくは、『ＤＬ  ＳＣＣ＃１若しくはＤＬ  ＳＣＣ＃２から推定されたパスロスに基づいて算出されたＰｏｗｅｒ  ｈｅａｄｒｏｏｍとＤＬ  ＳＣＣ＃１若しくはＤＬ  ＳＣＣ＃２を特定するＤＬ  ＣＣ  ＩＤ』、若しくは、『ＤＬ  ＰＣＣから推定されたパスロスに基づいて算出されたＰｏｗｅｒ  ｈｅａｄｒｏｏｍとＤＬ  ＰＣＣを特定するＤＬ  ＣＣ  ＩＤ、及び、ＤＬ  ＳＣＣ＃１若しくはＤＬ  ＳＣＣ＃２から推定されたパスロスに基づいて算出されたＰｏｗｅｒ  ｈｅａｄｒｏｏｍとＤＬ  ＳＣＣ＃１若しくはＤＬ  ＳＣＣ＃２を特定するＤＬ  ＣＣ  ＩＤ』が含まれていてもよい。
【００５６】
ここで、前述した通り、Ｐｏｗｅｒ  ｈｅａｄｒｏｏｍとはＰＵＳＣＨにおける所要の送信電力の推定値と最大送信電力との差分情報である。ＰＵＳＣＨにおける所要の送信電力は、ＰＵＳＣＨ送信のために割当てられるＲＢ（Ｒｅｓｏｕｒｃｅ  Ｂｌｏｃｋ）数にじゅんずるため、移動局ＵＥは、「ＭＡＣ  Ｃｏｎｔｒｏｌ  Ｅｌｅｍｅｎｔ（ＰＨＲ）」を含むトランスポートブロックを送信する際に使用するＰＵＳＣＨのＲＢ数に基づいて、ＰＵＳＣＨにおける所要の送信電力を推定し、当該「ＭＡＣ  Ｃｏｎｔｒｏｌ  Ｅｌｅｍｅｎｔ（ＰＨＲ）」に含めるＰｏｗｅｒ  ｈｅａｄｒｏｏｍの値を算出する。
【００５７】
この時、「ＭＡＣ  Ｃｏｎｔｒｏｌ  Ｅｌｅｍｅｎｔ（ＰＨＲ）」を送信するＵＬ  ＣＣとは異なるＵＬ  ＣＣでのＰＵＳＣＨにおける所要の送信電力に基づいたＰｏｗｅｒ  ｈｅａｄｒｏｏｍを、当該「ＭＡＣ  Ｃｏｎｔｒｏｌ  Ｅｌｅｍｅｎｔ（ＰＨＲ）」に含める場合、移動局は、当該ＵＬ  ＣＣでのＰＵＳＣＨにおける所要の送信電力を算出するために仮定するＲＢ数として、「０ＲＢ」、「１ＲＢ」、「当該「ＭＡＣ  Ｃｏｎｔｒｏｌ  Ｅｌｅｍｅｎｔ（ＰＨＲ）」を送信するＵＬ  ＣＣで割当てられているＰＵＳＣＨのＲＢ数」等を仮定することが考えられる。
【００５８】
本実施形態に係る移動通信システムによれば、無線基地局ｅＮＢは、ＭＡＣ  Ｃｏｎｔｒｏｌ  Ｅｌｅｍｅｎｔ（ＰＨＲ）」に含まれるＤＬ  ＣＣ  ＩＤに基づいて、受信したＰｏｗｅｒ  ｈｅａｄｒｏｏｍが、どのＤＬ  ＣＣにおけるパスロスに基づいて算出されたものであるかについて判断することができる。
【００５９】
以上に述べた本実施形態の特徴は、以下のように表現されていてもよい。
【００６０】
本実施形態の第１の特徴は、移動局ＵＥが、無線基地局ｅＮＢとの間で、搬送波周波数が異なる複数のＤＬ  ＣＣ（下りリンクキャリア）及び複数のＵＬ  ＣＣ（上りリンクキャリア）を用いたＣＡ通信を行う移動通信方法であって、無線基地局ｅＮＢが、移動局ＵＥに対して、ＤＬ  ＣＣの各々を特定するＤＬ  ＣＣ  ＩＤ（下りリンクキャリアＩＤ）を通知する工程Ａと、移動局ＵＥが、複数のＤＬ  ＣＣに含まれる所定ＤＬ  ＣＣから推定されるパスロスに基づいて、ＰＵＳＣＨ（上りリンク共有チャネル）における所要の送信電力の推定値と移動局ＵＥの最大送信電力との差分情報（Ｐｏｗｅｒ  ｈｅａｄｒｏｏｍ）を算出する工程と、移動局ＵＥが、無線基地局ｅＮＢに対して、所定ＤＬ  ＣＣを特定するＤＬ  ＣＣ  ＩＤとＰｏｗｅｒ  ｈｅａｄｒｏｏｍとからなる「ＭＡＣ  Ｃｏｎｔｒｏｌ  Ｅｌｅｍｅｎｔ（制御情報）」を送信する工程とを有し、ＤＬ  ＣＣの周波数を特定するＥＡＲＦＣＮ（下りリンクキャリア周波数ＩＤ）のビット長（１６ビット）は、ＤＬ  ＣＣ  ＩＤのビット長（例えば、２ビット）よりも長いことを要旨とする。
【００６１】
本実施形態の第２の特徴は、無線基地局ｅＮＢとの間で、搬送波周波数が異なる複数のＤＬ  ＣＣ及び複数のＵＬ  ＣＣを用いたＣＡ通信を行うことができるように構成されている移動局ＵＥであって、無線基地局ｅＮＢから、ＤＬ  ＣＣの各々を特定するＤＬ  ＣＣ  ＩＤを受信するように構成されている受信部１１と、複数のＤＬ  ＣＣに含まれる所定ＤＬ  ＣＣから推定されるパスロスに基づいて、ＰＵＳＣＨにおける所要の送信電力の推定値と移動局ＵＥの最大送信電力との差分情報（Ｐｏｗｅｒ  ｈｅａｄｒｏｏｍ）を算出するように構成されているＰｏｗｅｒ  ｈｅａｄｒｏｏｍ算出部１２と、無線基地局ｅＮＢに対して、所定ＤＬ  ＣＣを特定するＤＬ  ＣＣ  ＩＤとＰｏｗｅｒ  ｈｅａｄｒｏｏｍとからなる「ＭＡＣ  Ｃｏｎｔｒｏｌ  Ｅｌｅｍｅｎｔ」を送信するように構成されている送信部１３とを具備し、ＥＡＲＦＣＮのビット長は、ＤＬ  ＣＣ  ＩＤのビット長よりも長いことを要旨とする。
【００６２】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００６６】
ＵＥ…移動局
ｅＮＢ…無線基地局
１１、２２…受信部
１２…Ｐｏｗｅｒ  ｈｅａｄｒｏｏｍ算出部
１３、２１…送信部
２３…ＣＡ制御部
２４…スケジューリング部
【図１】
2011239000.tif 000003
【図２】
2011239000.tif 000004
【図３】
2011239000.tif 000005
【図４】
2011239000.tif 000006
【図５】
2011239000.tif 000007
【図６】
2011239000.tif 000008